(57)【要約】【課題】蛍光体を保持する機能と、漏れ光を遮光する機能とを併せ持つ照明装置を提供する。【解決手段】励起光Ｂを出射する励起光源２と、励起光Ｂの照射により励起されて発光する蛍光体３と、蛍光体３が搭載される搭載部５と、搭載部５の底面に位置して励起光Ｂを通過させる第１の開口部１１とが設けられた筐体６と、搭載部５に搭載された蛍光体３に当接される当接片１３ａ，１３ｂと、蛍光体３が発光する光Ｗを通過させる第２の開口部１４とが設けられた保持プレート７とを備え、保持プレート７は、当接片１３ａ，１３ｂが設けられた第１の板部７ａと、第２の開口部１４が設けられた第２の板部７ｂとを有して、第１の板部７ａに対して第２の板部７ｂが折り曲げられた状態で互いに対向している。【選択図】図１
2019083101.tif 000002
【特許請求の範囲】
【請求項１】
励起光を出射する励起光源と、
前記励起光の照射により励起されて発光する蛍光体と、
前記蛍光体が搭載される搭載部と、前記搭載部の底面に位置して前記励起光を通過させる第１の開口部とが設けられた筐体と、
前記搭載部に搭載された前記蛍光体に当接される当接片と、前記蛍光体が発光する光を通過させる第２の開口部とが設けられた保持プレートとを備え、
前記保持プレートは、前記当接片が設けられた第１の板部と、前記第２の開口部が設けられた第２の板部とを有して、前記第１の板部に対して前記第２の板部が折り曲げられた状態で互いに対向していることを特徴とする照明装置。
【請求項２】
前記第２の開口部の周囲は、平面視で前記第１の開口部の周囲よりも内側に位置するように設けられていることを特徴とする請求項１に記載の照明装置。
【請求項３】
前記第１の板部は、前記当接片が内側に形成された第３の開口部を有し、
前記当接片は、前記第３の開口部の内側から前記第２の板部と対向する側とは反対側に向かって屈曲された状態で、前記第３の開口部の周囲に片持ち支持されていることを特徴とする請求項１又は２に記載の照明装置。
【請求項４】
少なくとも前記第３の開口部の前記当接片が設けられた側の周囲よりも前記第２の開口部の周囲が内側に位置することを特徴とする請求項３に記載の照明装置。
【請求項５】
前記当接片は、その先端側が前記第３の開口部側に向かって屈曲された屈曲部を有し、
前記保持プレートは、前記蛍光体に前記屈曲部を当接させた状態で、前記当接片が弾性変形することによって、前記蛍光体を前記搭載部の底面に向かって付勢していることを特徴とする請求項２〜４の何れか一項に記載の照明装置。
【請求項６】
前記当接片は、前記第３の開口部の互いに相対する位置に対称に並んで設けられていることを特徴とする請求項２〜５の何れか一項に記載の照明装置。
【請求項７】
前記第１の板部と前記第２の板部との折曲ラインが前記当接片の並ぶ方向に沿って設けられていることを特徴とする請求項６に記載の照明装置。
【請求項８】
前記保持プレートは、前記筐体に取り付けられていることを特徴とする請求項１〜７の何れか一項に記載の照明装置。
【請求項９】
前記励起光源は、前記筐体の内側に配置されていることを特徴とする請求項１〜８の何れか一項に記載の照明装置。
【請求項１０】
前記励起光を前記蛍光体に向けて反射する反射光学系を備えることを特徴とする請求項１〜９の何れか一項に記載の照明装置。
【請求項１１】
請求項１〜１０の何れか一項に記載の照明装置と、
前記照明装置から出射された光を投影する投影レンズとを備える車両用灯具。
【発明の詳細な説明】
【技術分野】
【０００１】
本発明は、照明装置及び車両用灯具に関する。
【背景技術】
【０００２】
近年、発光ダイオード（ＬＥＤ）などの半導体発光素子と、この半導体発光素子が発する励起光（例えば青色光）に励起されて蛍光光（例えば黄色光）を発する蛍光体とを組み合わせて、照明光（白色光）を得ることができる照明装置が提案されている。
【０００３】
また、照明装置では、高輝度且つ高出力な光が得られる半導体レーザー（ＬＤ）などのレーザー光源を用いて、このレーザー光源が発するレーザー光を蛍光体に照射することによって、照明光を得ることも行われている。
【０００４】
ところで、照明装置として車両に搭載される車両用灯具では、車両走行時の振動などによって、光源や蛍光体などの構成部品の位置ずれが生じないように、これらの構成部品を保持（固定）するための構造が求められている（例えば、下記特許文献１を参照。）。
【０００５】
一方、従来の構成部品を保持（固定）するための構造では、例えば蛍光体を保持する保持プレートに設けられた開口部から、この蛍光体に照射される励起光が漏れ出すことがあった。この場合、このような漏れ光を遮光する遮光部材を保持プレートとは別に設ける必要がある。
【先行技術文献】
【特許文献】
【０００６】
【特許文献１】特開２０１４−１９７５５０号公報
【発明の概要】
【発明が解決しようとする課題】
【０００７】
本発明は、このような従来の事情に鑑みて提案されたものであり、蛍光体を保持する機能と、漏れ光を遮光する機能とを併せ持つことによって、部品点数や組立工数の削減を図ると共に、更なる低コスト化を実現可能とした照明装置、並びにそのような照明装置を備える車両用灯具を提供することを目的とする。
【課題を解決するための手段】
【０００８】
上記目的を達成するために、本発明は以下の手段を提供する。
〔１〕  励起光を出射する励起光源と、
前記励起光の照射により励起されて発光する蛍光体と、
前記蛍光体が搭載される搭載部と、前記搭載部の底面に位置して前記励起光を通過させる第１の開口部とが設けられた筐体と、
前記搭載部に搭載された前記蛍光体に当接される当接片と、前記蛍光体が発光する光を通過させる第２の開口部とが設けられた保持プレートとを備え、
前記保持プレートは、前記当接片が設けられた第１の板部と、前記第２の開口部が設けられた第２の板部とを有して、前記第１の板部に対して前記第２の板部が折り曲げられた状態で互いに対向していることを特徴とする照明装置。
〔２〕  前記第２の開口部の周囲は、平面視で前記第１の開口部の周囲よりも内側に位置するように設けられていることを特徴とする前記〔１〕に記載の照明装置。
〔３〕  前記第１の板部は、前記当接片が内側に形成された第３の開口部を有し、
前記当接片は、前記第３の開口部の内側から前記第２の板部と対向する側とは反対側に向かって屈曲された状態で、前記第３の開口部の周囲に片持ち支持されていることを特徴とする前記〔１〕又は〔２〕に記載の照明装置。
〔４〕  少なくとも前記第３の開口部の前記当接片が設けられた側の周囲よりも前記第２の開口部の周囲が内側に位置することを特徴とする前記〔３〕に記載の照明装置。
〔５〕  前記当接片は、その先端側が前記第３の開口部側に向かって屈曲された屈曲部を有し、
前記保持プレートは、前記蛍光体に前記屈曲部を当接させた状態で、前記当接片が弾性変形することによって、前記蛍光体を前記搭載部の底面に向かって付勢していることを特徴とする前記〔２〕〜〔４〕の何れか一項に記載の照明装置。
〔６〕  前記当接片は、前記第３の開口部の互いに相対する位置に対称に並んで設けられていることを特徴とする前記〔２〕〜〔５〕の何れか一項に記載の照明装置。
〔７〕  前記第１の板部と前記第２の板部との折曲ラインが前記当接片の並ぶ方向に沿って設けられていることを特徴とする前記〔６〕に記載の照明装置。
〔８〕  前記保持プレートは、前記筐体に取り付けられていることを特徴とする前記〔１〕〜〔７〕の何れか一項に記載の照明装置。
〔９〕  前記励起光源は、前記筐体の内側に配置されていることを特徴とする前記〔１〕〜〔８〕の何れか一項に記載の照明装置。
〔１０〕  前記励起光を前記蛍光体に向けて反射する反射光学系を備えることを特徴とする前記〔１〕〜〔９〕の何れか一項に記載の照明装置。
〔１１〕  前記〔１〕〜〔１０〕の何れか一項に記載の照明装置と、
前記照明装置から出射された光を投影する投影レンズとを備える車両用灯具。
【発明の効果】
【０００９】
以上のように、本発明によれば、蛍光体を保持する機能と、漏れ光を遮光する機能とを併せ持つことによって、部品点数や組立工数の削減を図ると共に、更なる低コスト化を実現可能とした照明装置、並びにそのような照明装置を備える車両用灯具を提供することが可能である。
【図面の簡単な説明】
【００１０】
【図１】本発明の一実施形態に係る照明装置を備えた車両用灯具の一例を示す構成図である。
【図２】図１に示す照明装置が備える保持プレートの構成を示し、（ａ）はその平面図、（ｂ）はその線分Ａ−Ａによる断面図である。
【図３】（ａ）は保持プレートの第１の板部に対して第２の板部を折り曲げる前の状態を示す斜視図、（ｂ）は保持プレートの第１の板部に対して第２の板部を折り曲げて対向させた状態を示す斜視図である。
【図４】（ａ）は保持プレートの漏れ光が生じた状態を示す斜視図、（ｂ）は保持プレートの漏れ光を遮光した状態を示す斜視図である。
【発明を実施するための形態】
【００１１】
以下、本発明の実施の形態について、図面を参照して詳細に説明する。
なお、以下の説明で用いる図面は、特徴をわかりやすくするために、便宜上特徴となる部分を拡大して示している場合があり、各構成要素の寸法比率などが実際と同じであるとは限らないものとする。また、以下の説明において例示される材料等は一例であって、本発明はそれらに必ずしも限定されるものではなく、その要旨を変更しない範囲で適宜変更して実施することが可能である。
【００１２】
本発明の一実施形態として、例えば図１に示す照明装置１を備えた車両用灯具１００について説明する。なお、図１は、照明装置１を備えた車両用灯具１００の一例を示す構成図である。
【００１３】
また、以下に示す図面では、ＸＹＺ直交座標系を設定し、Ｘ軸方向を照明装置１（車両用灯具１００）の前後方向、Ｙ軸方向を照明装置１（車両用灯具１００）の左右方向、Ｚ軸方向を照明装置１（車両用灯具１００）の上下方向として、それぞれ示すものとする。
【００１４】
本実施形態の照明装置１は、図１に示すように、車両に搭載される車両用灯具１００として、例えば車両の前方（＋Ｘ軸方向）に向けて照明光Ｗを照射する車両用前照灯（ヘッドランプ）に本発明を適用したものである。
【００１５】
照明装置１は、この照明装置１からの照明光Ｗを車両の前方に向けて投影する投影レンズ２００と共に、図示を省略する灯体の内側に収容されることによって、車両用灯具１００を構成している。
【００１６】
具体的に、この照明装置１は、励起光Ｂを出射する励起光源２と、励起光Ｂの照射により励起されて発光する蛍光体３と、励起光Ｂを蛍光体３に向けて反射する反射光学系４と、蛍光体３が搭載される搭載部５が設けられた筐体６と、搭載部５の内側に蛍光体３を保持する保持プレート７とを概略備えている。
【００１７】
励起光源２は、蛍光体３に向けて励起光Ｂとなるレーザー光を照射する半導体レーザーからなる。本実施形態では、例えば、青色光（発光波長が約４５０ｎｍ）を発するレーザーダイオード（ＬＤ）を用いている。なお、半導体レーザーについては、紫外光を発するＬＤを用いてもよい。励起光源２は、搭載部５が設けられた側（前面側）とは反対側（背面側）の筐体６の内側に配置されている。
【００１８】
励起光源２は、励起光Ｂを前方（＋Ｘ軸方向）に向けて放射状に出射する。また、励起光源２の前方には、励起光Ｂを集光させる集光レンズ８が設けられている。
【００１９】
蛍光体３は、内部に蛍光体粒子を含む蛍光体プレートからなる。本実施形態では、例えば、セリウムＣｅ等の付活剤が導入されたＹＡＧとアルミナＡｌ２Ｏ３との複合体（焼結体）から蛍光体粒子を用いている。なお、蛍光体プレートの内部には、励起光Ｂを拡散させる拡散材が添加されていてもよい。
【００２０】
照明装置１では、蛍光体３に照射された励起光Ｂの一部（青色光）が拡散しながら蛍光体３を通過すると共に、励起光Ｂの照射により蛍光体３内の蛍光体粒子が励起されることで蛍光光（黄色光）Ｙを発しながら、これら励起光（青色光）と蛍光光（黄色光）との混色によって照明光（白色光）Ｗを得ている。
【００２１】
反射光学系４は、筐体６内の集光レンズ８と蛍光体３との間の光路中に、ＭＥＭＳミラー９と、リフレクター１０とが配置された構成を有している。ＭＥＭＳミラー９は、ＭＥＭＳ(Micro-Electro-Mechanical Systems)技術を用いた可動式のミラーであり、蛍光体３に対して照射される励起光Ｂの方向を制御している。リフレクター１０は、ＭＥＭＳミラー９で反射された励起光Ｂを蛍光体３に向けて反射する。
【００２２】
筐体６は、前面に搭載部５が設けられた遮光性の樹脂成形体からなる。また、搭載部５の底面には、励起光Ｂを通過させる矩形状（本実施形態では長方形状）の第１の開口部１１が設けられている。さらに、筐体６の前面には、保持プレート７をネジ止めにより取り付けるためのブラケット１２が設けられている。ブラケット１２には、ネジ穴１２ａが形成された台座部１２ｂが搭載部５を挟んだ左右方向（Ｙ軸方向）の両側に設けられている。
【００２３】
保持プレート７は、図２（ａ），（ｂ）に示す構成を有している。なお、図２（ａ）は、保持プレート７の構成を示す平面図である。図２（ｂ）は、図２（ａ）中に示す線分Ａ−Ａによる保持プレート７の断面図である。
【００２４】
具体的に、この保持プレート７は、搭載部５に搭載された蛍光体３に当接される一対の当接片１３ａ，１３ｂと、蛍光体３が発光する照明光Ｗを通過させる矩形状（本実施形態では長方形状）の第２の開口部１４とを有している。
【００２５】
また、保持プレート７は、一対の当接片１３ａ，１３ｂが設けられた矩形状（本実施形態では長方形状）の第１の板部７ａと、第２の開口部１４が設けられた矩形状（本実施形態では長方形状）の第２の板部７ｂとを有している。保持プレート７は、第１の板部７ａに対して第２の板部７ｂが折り曲げられた状態で互いに対向された構造を有している。
【００２６】
ここで、保持プレート７の第１の板部７ａに対する第２の板部７ｂの折り曲げについて、図３（ａ），（ｂ）を参照して具体的に説明する。なお、図３（ａ）は、保持プレート７の第１の板部７ａに対して第２の板部７ｂを折り曲げる前の状態を示す斜視図である。一方、図３（ｂ）は、保持プレート７の第１の板部７ａに対して第２の板部７ｂを折り曲げて対向させた状態を示す斜視図である。
【００２７】
保持プレート７は、図３（ａ），（ｂ）に示すように、第１の板部７ａと第２の板部７ｂとの間に長辺方向に沿った折曲ラインＲを有し、この折曲ラインＲに沿って第１の板部７ａに対して第２の板部７ｂを折り曲げることによって、第１の板部７ａと第２の板部７ｂとが互いに対向した状態となっている。なお、互いに対向する第１の板部７ａと第２の板部７ｂとは、互いに接触した状態（重ね合わされた状態）であっても、互いに離間した状態であってもよい。
【００２８】
これにより、第２の開口部１４の周囲は、平面視で第１の開口部１１の周囲よりも内側に位置するように設けられている。すなわち、第２の開口部１４の開口面積は、第１の開口部１１の開口面積よりも小さくなっている。
【００２９】
第１の板部７ａは、一対の当接片１３ａ，１３ｂの周囲を打ち抜くことによって、これら一対の当接片１３ａ，１３ｂが内側に形成された第３の開口部１５を有している。一対の当接片１３ａ，１３ｂは、第３の開口部１５のうち、短辺側の互いに相対する位置に対称に並んで設けられている。また、折曲ラインＲは、一対の当接片１３ａ，１３ｂが並ぶ方向（長辺方向）に沿って設けられている。
【００３０】
一対の当接片１３ａ，１３ｂは、第３の開口部１５の短辺側の周囲から長辺方向に延長されると共に、第３の開口部１５の内側から第２の板部７ｂと対向する側（前面側）とは反対側（背面側）に向かって斜めに屈曲された状態で、第３の開口部１５の周囲に片持ち支持されている。また、一対の当接片１３ａ，１３ｂは、その先端側が第３の開口部１５側（前面側）に向かって屈曲された屈曲部１６を有している。
【００３１】
第３の開口部１５は、全体として矩形状（本実施形態では長方形状）を為している。また、少なくとも第３の開口部１５の一対の当接片１３ａ，１３ｂが設けられた側（短辺側）の周囲よりも第２の開口部１４の短辺側の周囲が内側に位置している。すなわち、第２の開口部１４の長辺は、第３の開口部１５の長辺よりも短くなっている。これにより、第２の板部７ｂは、第３の開口部１５の一対の当接片１３ａ，１３ｂが設けられた側（短辺側）の周囲を遮光する遮光部１７を構成している。
【００３２】
ここで、保持プレート７の第３の開口部１５から漏れ出した励起光Ｂ（以下、漏れ光Ｌという。）を遮光部１７で遮光する原理について、図４（ａ），（ｂ）を参照しながら説明する。なお、図４（ａ）は、保持プレート７の漏れ光Ｌが生じた状態を示す斜視図である。また、図４（ａ）では、第２の板部７ｂを省略して示している。一方、図４（ｂ）は、保持プレート７の漏れ光Ｌを遮光した状態を示す斜視図である。
【００３３】
保持プレート７では、図４（ａ）に示すように、一対の当接片１３ａ，１３ｂの周囲を打ち抜くことによって、これら一対の当接片１３ａ，１３ｂが内側に形成された第３の開口部１５の短辺側の周囲から漏れ光Ｌが発生することになる。これに対して、本実施形態の保持プレート７では、図４（ｂ）に示すように、第２の板部７ｂの遮光部１７によって、この漏れ光Ｌを遮光することが可能となっている。
【００３４】
また、本実施形態の保持プレート７では、第３の開口部１５の一対の当接片１３ａ，１３ｂが設けられた側（短辺側）とは直交する側（長辺側）の周囲よりも第２の開口部１４の長辺側の周囲が外側に位置している。すなわち、第２の開口部１４の短辺は、第３の開口部１５の短辺よりも長くなっている。したがって、照明光Ｗを通過する領域は、第２の開口部１４の短辺側の周囲と、第３の開口部１５の長辺側の周囲とにより区画されている。
【００３５】
なお、保持プレート７については、第３の開口部１５の長辺側の周囲よりも第２の開口部１４の長辺側の周囲が内側に位置する構成とすることも可能である。但し、第１の板部７ａに対して第２の板部７ｂを折り曲げた際の位置ずれを考慮した場合、第３の開口部１５の長辺側の周囲よりも第２の開口部１４の長辺側の周囲が外側に位置する方が、照明光Ｗを通過する領域をより正確に区画することが可能である。
【００３６】
保持プレート７は、図２（ａ），（ｂ）に示すように、第１の板部７ａの第２の板部７ｂが重なり合う位置よりも外側に一対の貫通孔１８を有している。保持プレート７は、筐体６の前面側から貫通孔１８を通してビス１９を台座部１２ｂのネジ孔１２ａに螺合することによって、ブラケット１２に取り付けられる。このとき、保持プレート７は、蛍光体３に屈曲部１６の角部を当接させた状態で、一対の当接片１３ａ，１３ｂが弾性変形することによって、蛍光体３を搭載部５の底面に向かって付勢している。これにより、蛍光体３を搭載部５内に保持（固定）している。
【００３７】
以上のように、本実施形態の照明装置１では、上述した保持プレート７が蛍光体３を保持する機能と共に、漏れ光Ｌを遮光する機能とを併せ持つことによって、部品点数や組立工数の削減を図ると共に、更なる低コスト化を実現することが可能である。したがって、そのような照明装置１を備える車両用灯具１００においても、上述した機能を集約することによって、更なる低コスト化を実現することが可能である。
【００３８】
なお、本発明は、上記実施形態のものに必ずしも限定されるものではなく、本発明の趣旨を逸脱しない範囲において種々の変更を加えることが可能である。
例えば、本発明を適用した照明装置１は、上述した車両用灯具（車両用前照灯）１００に好適に用いられるものの、車両に搭載されるものに限らず、様々な用途に幅広く適用することが可能である。その場合、励起光源２については、上述したＬＤに限らず、発光ダイオード（ＬＥＤ）等を用いることも可能である。
【符号の説明】
【００３９】
１…照明装置  ２…励起光源  ３…蛍光体  ４…反射光学系  ５…搭載部  ６…筐体  ７…保持プレート  ７ａ…第１の板部  ７ｂ…第２の板部  ８…集光レンズ  ９…ＭＥＭＳミラー  １０…リフレクター  １１…第１の開口部  １２…ブラケット  １３ａ，１３ｂ…当接片  １４…第２の開口部  １５…第３の開口部  １６…屈曲部  １７…遮光部  Ｒ…折曲ライン  １００…車両用灯具  ２００…投影レンズ  Ｂ…励起光  Ｙ…蛍光光  Ｗ…照明光  Ｌ…漏れ光
【図１】
2019083101.tif 000003
【図２】
2019083101.tif 000004
【図３】
2019083101.tif 000005
【図４】
2019083101.tif 000006